(57)【特許請求の範囲】
【請求項１】
組織を構成する支店又は営業所の結合関係が表された組織テーブルと，前記支店又は営業所毎に集計された実績データが表された実績データテーブルとを記憶した記憶装置を備えたコンピュータに、
前記組織テーブルから前記支店又は営業所の結合関係を抽出して前記支店又は営業所の結合関係を表示装置に表示し、前記実績データテーブルから前記支店又は営業所毎の実績データを抽出して前記支店又は営業所毎の実績データを前記表示装置に表示するステップと、
前記実績データテーブルを仮想売上データベースにコピーするステップと、
組織編成指示として、前記支店又は営業所の統合，分割又は昇格指示を受け付けさせるステップと、
前記支店又は営業所の統合，分割又は昇格指示を受け付けさせるステップで受け付けた組織編成指示に基づき、前記組織テーブルから抽出した組織編成前の前記支店又は営業所の結合関係を組織編成後の前記支店又は営業所の結合関係に変換して前記表示装置に表示し、前記仮想売上データベースの実績データを組織編成後の前記支店又は営業所毎の実績データに変換し、該変換した実績データに基づいて前記組織編成後の前記支店又は営業所をランキング表示するステップと
を実行させる組織編成支援プログラム。
【請求項２】
前記コンピュータに、前記支店又は営業所の結合関係を前記表示装置にツリー表示させるステップを含む請求項１記載の組織編成支援プログラム。
【請求項３】
前記コンピュータに、前記組織編成指示の対象となった前記支店又は営業所を視覚的に変化させて前記支店又は営業所の結合関係及び前記支店又は営業所毎の実績データを前記表示装置に表示させるステップを含む請求項１又は２記載の組織編成支援プログラム。
【発明の詳細な説明】
【技術分野】
【０００１】
本発明は、組織編成支援プログラムに係り、特に組織の再編成を支援する組織編成支援プログラムに関する。
【背景技術】
【０００２】
組織の再編成を行なう際は、組織を構成する支店や営業所の統合，分割，営業所の支店への格上げ等、再編成後の支店や営業所単位での売上や損益の実績，予算等の情報も考慮される。例えば営業所Ａと営業所Ｂとを統合する再編成を行なう際は、営業所Ａと営業所Ｂとを統合した営業所Ａ−Ｂの売上や損益のランキングを考慮して統合するか否かを検討していた。
【０００３】
特許文献１には、所属従業員の異動にともなう各組織の数値指標がどう変化するかをシミュレーションする内容が記載されている。
【特許文献１】特開２００２−２６９３３１号公報
【発明の開示】
【発明が解決しようとする課題】
【０００４】
しかしながら、現行では営業所Ａと営業所Ｂとを統合した再編成後の営業所Ａ−Ｂの売上や損益のランキングが直ぐには分からない。従って、組織の再編成を行なう際は、いちいち再編成後の状態を作り出してランキングし、再編成後の売上や損益のランキングを考慮して再編成するか否かを検討しなければならないという問題があった。また、現行では組織図のどこを再編成したことでランキングが変わったかが視覚的に分からないという問題があった。
【０００５】
なお、特許文献１は所属従業員の異動にともなう各組織の数値指標がどう変化するかをシミュレーションするものであって、組織を構成する支店や営業所の統合，分割，営業所の支店への格上げ等、再編成後の支店や営業所単位での売上や損益のランキングをシミュレーションするものではない。
【０００６】
本発明は、上記の点に鑑みなされたもので、組織を構成する各要素の再編成前と再編成後とを提示して、組織の再編成を支援する組織編成支援プログラムを提供することを目的とする。
【課題を解決するための手段】
【０００７】
上記課題を解決するため、本発明は、組織を構成する支店又は営業所の結合関係が表された組織テーブルと，前記支店又は営業所毎に集計された実績データが表された実績データテーブルとを記憶した記憶装置を備えたコンピュータに、前記組織テーブルから前記支店又は営業所の結合関係を抽出して前記支店又は営業所の結合関係を表示装置に表示し、前記実績データテーブルから前記支店又は営業所毎の実績データを抽出して前記支店又は営業所毎の実績データを前記表示装置に表示するステップと、前記実績データテーブルを仮想売上データベースにコピーするステップと、組織編成指示として、前記支店又は営業所の統合，分割又は昇格指示を受け付けさせるステップと、前記支店又は営業所の統合，分割又は昇格指示を受け付けさせるステップで受け付けた組織編成指示に基づき、前記組織テーブルから抽出した組織編成前の前記支店又は営業所の結合関係を組織編成後の前記支店又は営業所の結合関係に変換して前記表示装置に表示し、前記仮想売上データベースの実績データを組織編成後の前記支店又は営業所毎の実績データに変換し、該変換した実績データに基づいて前記組織編成後の前記支店又は営業所をランキング表示するステップとを実行させる組織編成支援プログラムであることを特徴とする。
【０００９】
本発明では、組織を構成する要素の組織編成前の結合関係および実績データを表示装置に表示し、組織編成指示に基づいて各要素の組織編成後の結合関係および実績データを表示装置に表示することで、組織編成前後の変化を視覚的に提示できる。
【発明の効果】
【００１０】
上述の如く、本発明によれば、組織を構成する各要素の再編成前と再編成後とを提示して、組織の再編成を支援する組織編成支援プログラムを提供可能である。
【発明を実施するための最良の形態】
【００１１】
次に、本発明を実施するための最良の形態を、以下の実施例に基づき図面を参照しつつ説明していく。なお、本実施例では組織を構成する要素の一例として支店又は営業所を例に説明するが、支店又は営業所に限定するものではない。また、本実施例では要素毎に集計された集計データの一例として売上データを例に説明するが、売上データに限定するものではない。
【００１２】
図１は、本発明による組織編成支援システムの一例の構成図である。図１の組織編成支援システムは、組織編成支援装置１１，売上ＤＢ１２，仮想売上ＤＢ１３，組織ＤＢ１４及び仮想組織ＤＢ１５を含む。
【００１３】
売上ＤＢ１２は支店及び営業所の売上データを管理している。仮想売上ＤＢ１３は支店又は営業所の統合，分割又は昇格指示に基づき変換された支店及び営業所の売上データを管理している。
【００１４】
組織ＤＢ１４は、支店及び営業所の関連を管理している。言い換えれば、組織ＤＢ１４は後述するような組織ツリーを作成する為に必要な支店及び営業所の結合関係を管理している。仮想組織ＤＢ１５は、支店又は営業所の統合，分割又は昇格指示に基づき変換された支店及び営業所の関連を管理している。
【００１５】
組織編成支援装置１１は、売上ＤＢ１２から支店及び営業所の売上データを抽出して仮想売上ＤＢ１３にコピーする。組織編成支援装置１１は、仮想売上ＤＢ１３にコピーした支店及び営業所の売上データを支店又は営業所の統合，分割又は昇格指示に基づいて変換する。組織編成支援装置１１は、仮想売上ＤＢ１３から支店及び営業所の売上データを抽出して表示装置にランキング表示する。
【００１６】
組織編成支援装置１１は、組織ＤＢ１４から支店及び営業所の関連を抽出して仮想組織ＤＢ１５にコピーする。組織編成支援装置１１は、仮想組織ＤＢ１５にコピーした支店及び営業所の関連を支店又は営業所の統合，分割又は昇格指示に基づいて変換する。組織編成支援装置１１は、仮想組織ＤＢ１５から支店及び営業所の関連を抽出して表示装置に組織ツリーを表示する。
【００１７】
組織編成支援装置１１は、組織ツリーとリンクさせて支店及び営業所の売上ランキングを表示する。組織編成支援装置１１は、支店又は営業所の統合，分割又は昇格指示に基づく変換前又は変換後の組織ツリー及びランキングを表示する。また、組織編成支援装置１１は統合，分割又は昇格指示の対象となった支店又は営業所を、色，アンダーライン等で視覚的に変化させて変換前又は変換後の組織ツリー及びランキングを表示する。
【００１８】
図１の組織編成支援システムでは、組織編成支援装置１１の外部に売上ＤＢ１２，仮想売上ＤＢ１３，組織ＤＢ１４及び仮想組織ＤＢ１５を備えているが、組織編成支援装置１１の内部に売上ＤＢ１２，仮想売上ＤＢ１３，組織ＤＢ１４及び仮想組織ＤＢ１５を備える構成であってもよい。以下では、組織編成支援装置１１の後述する補助記憶装置に売上ＤＢ１２，仮想売上ＤＢ１３，組織ＤＢ１４及び仮想組織ＤＢ１５を備える構成について説明する。
【００１９】
図２は、組織編成支援装置１１の一例の構成図である。組織編成支援装置１１は、それぞれバスＢで相互に接続されている入力装置２１，出力装置２２，ドライブ装置２３，補助記憶装置２４，メモリ装置２５，演算処理装置２６およびインターフェース装置２７で構成される。
【００２０】
入力装置２１はキーボードやマウスなどで構成され、各種信号を入力するために用いられる。出力装置２２はディスプレイ装置などで構成され、各種ウインドウやデータ等を表示するために用いられる。インターフェース装置２７は、モデム，ＬＡＮカードなどで構成されており、ネットワークへ接続する為に用いられる。
【００２１】
本発明の組織編成支援プログラムは、組織編成支援装置１１を制御する各種プログラムの少なくとも一部である。組織編成支援プログラムは例えば記録媒体２８の配布やネットワークからのダウンロード等によって提供される。組織編成支援プログラムを記録した記録媒体２８は、ＣＤ−ＲＯＭ、フレキシブルディスク、光磁気ディスク等の様に情報を光学的，電気的或いは磁気的に記録する記録媒体、ＲＯＭ、フラッシュメモリ等の様に情報を電気的に記録する半導体メモリ等、様々なタイプの記録媒体を用いることができる。
【００２２】
また、組織編成支援プログラムを記録した記録媒体２８がドライブ装置２３にセットされると、組織編成支援プログラムは記録媒体２８からドライブ装置２３を介して補助記憶装置２４にインストールされる。ネットワークからダウンロードされた組織編成支援プログラムはインターフェース装置２７を介して補助記憶装置２４にインストールされる。
【００２３】
組織編成支援装置１１は、インストールされた組織編成支援プログラムを補助記憶装置２４へ格納すると共に、必要なファイル，データ等を補助記憶装置２４へ格納する。例えば組織編成支援装置１１は、前述した売上ＤＢ１２および組織ＤＢ１４を補助記憶装置２４へ格納する。
【００２４】
メモリ装置２５は、起動時に補助記憶装置２４から組織編成支援プログラムを読み出して格納する。そして、演算処理装置２６はメモリ装置２５に格納された組織編成支援プログラムに従って、後述するような各種処理を実現している。
【実施例１】
【００２５】
図３は、組織編成支援装置１１の処理手順を表した一例のフローチャートである。ステップＳ１に進み、組織編成支援装置１１を構成する演算処理装置２６は売上ＤＢ１２の全部または一部を仮想売上ＤＢ１３にコピーする。図４は、売上ＤＢ１２の一例の構成図である。図４の売上ＤＢ１２は、支店名，営業所名および売上をデータ項目とするレコードから成る。即ち、売上ＤＢ１２は支店または営業所毎の売上データを表している。
【００２６】
ステップＳ２に進み、演算処理装置２６は組織ＤＢ１４の全部または一部を仮想組織ＤＢ１５にコピーする。図５は、組織ＤＢ１４の一例の構成図である。図５の組織ＤＢ１４は、支店名および営業所名をデータ項目とするレコードから成る。即ち、組織ＤＢ１４は支店および営業所の関連を表している。
【００２７】
ステップＳ３に進み、演算処理装置２６は仮想売上ＤＢ１３から支店または営業所毎の売上データを抽出すると共に、仮想組織ＤＢ１５から支店および営業所の関連を抽出して図６のような画面６０を出力装置２２に表示する。図６は、支店又は営業所の統合，分割又は昇格指示に基づく変換前の組織ツリー及びランキングを表示する画面６０の一例のイメージ図である。
【００２８】
図６の画面６０は、組織ツリーと、その組織ツリーを構成する支店および営業所の支店別売上ランキングおよび営業所別売上ランキングとが含まれている。また、画面６０には支店又は営業所の統合，分割又は昇格指示を選択するコマンド欄６１が含まれる。組織編成支援装置１１を操作する操作者は、コマンド欄６１から支店又は営業所の統合，分割又は昇格指示に対応するコマンドを選択できる。また、操作者は組織ツリーを構成する支店および営業所毎に設けられているチェック欄６２をチェックすることにより、統合，分割又は昇格指示の対象とする支店または営業所を指定できる。図６の画面６０では、Ａａ営業所およびＡｂ営業所が指定されている。
【００２９】
操作者による入力装置２１の操作により、画面６０のコマンド欄６１からコマンドが入力されると、演算処理装置２６はステップＳ４に進み、入力されたコマンドが支店又は営業所の統合，分割又は昇格指示の何れに対応するコマンドか判定する。
【００３０】
入力されたコマンドが支店又は営業所の統合指示である場合、演算処理装置２６はステップＳ５〜Ｓ７の処理を行う。入力されたコマンドが支店又は営業所の分割指示である場合、演算処理装置２６はステップＳ８〜Ｓ１３の処理を行う。入力されたコマンドが支店又は営業所の昇格指示である場合、演算処理装置２６はステップＳ１４〜Ｓ１６の処理を行う。
【００３１】
まず、入力されたコマンドが支店又は営業所の統合指示である場合、演算処理装置２６はステップＳ５に進み、仮想売上ＤＢ１３中、チェック欄６２により指定された統合指示の対象とする支店又は営業所のレコードを抽出する。ステップＳ６に進み、演算処理装置２６はステップＳ５で抽出されたレコードの営業所名（又は営業所コード）を統合後の一つの営業所名（又は営業所コード）で置換する。
【００３２】
図７は、ステップＳ６の処理により統合指示の対象とされた営業所の営業所名が統合後の一つの営業所名に置換された仮想売上ＤＢ１３の一例の構成図である。図７の仮想売上ＤＢ１３では、Ａｂ営業所の営業署名がＡａ営業所に置換されている。
【００３３】
ステップＳ７に進み、演算処理装置２６は仮想組織ＤＢ１５中、統合指示の対象とする支店又は営業所のレコードを、一つを残して削除する。演算処理装置２６は、一つ残したレコードの営業所名（又は営業所コード）を統合後の営業所名（又は営業所コード）で置換する。
【００３４】
図８は、ステップＳ７の処理により統合指示の対象とされた営業所のレコードが、一つを残して削除された仮想組織ＤＢ１５の一例の構成図である。図８の仮想組織ＤＢ１５ではＡｂ営業所のレコードが削除されている。
【００３５】
ステップＳ７に続いてステップＳ１７に進み、演算処理装置２６は仮想組織ＤＢ１５の情報に基づいて図９の組織ツリーを表示装置に表示する。ステップＳ１８に進み、演算処理装置２６は仮想売上ＤＢ１３の情報に基づいて図９の支店別売上ランキング及び営業所別売上ランキングを表示装置に表示したあと、ステップＳ３に戻る。
【００３６】
図９は、支店又は営業所の統合指示に基づく変換後の組織ツリー及びランキングを表示する画面９０の一例のイメージ図である。画面９０は、組織変更後組織ツリーと、その組織変更後組織ツリーを構成する支店および営業所の組織変更後支店別売上ランキングおよび組織変更後営業所別売上ランキングとが含まれている。図９の画面９０は、統合指示の対象とされたＡｂ営業所が組織変更後組織ツリーから削除されている。また、図９の画面９０は統合指示の対象とされたＡｂ営業所が組織変更後営業所別売上ランキングから削除され、Ａｂ営業所の売上がＡａ営業所に加算されている。
【００３７】
次に、入力されたコマンドが支店又は営業所の分割指示である場合、演算処理装置２６はステップＳ８に進み、仮想売上ＤＢ１３中、チェック欄６２により指定された分割指示の対象とする支店又は営業所のレコードを抽出する。ステップＳ９に進み、演算処理装置２６は分割により新規に生成される営業所名（又は営業所コード）のレコードを仮想売上ＤＢ１３に生成する。
【００３８】
ステップＳ１０に進み、演算処理装置２６はステップＳ８で抽出された支店又は営業所のレコードから売上データを抽出する。ステップＳ１１に進み、演算処理装置２６はステップＳ１０で抽出された売上データを、任意に設定できる分割比率Ｒ１で乗算した値に置換する。
【００３９】
ステップＳ１２に進み、演算処理装置２６はステップＳ９で新規に生成したレコードの売上データについて、ステップＳ１０で抽出された売上データを、任意に設定できる分割比率Ｒ２で乗算した値に置換する。ただし、演算処理装置２６は分割比率Ｒ１＋Ｒ２を１に設定する。
【００４０】
図１０は、ステップＳ９〜Ｓ１２の処理により分割指示の対象とされた営業所が分割された仮想売上ＤＢ１３の一例の構成図である。図１０の仮想売上ＤＢ１３では、Ａｂ営業所からＡｄ営業所が分割されている。Ａｂ営業所の売上データは、分割前のＡｂ営業所の売上データ「５０００」に分割比率Ｒ１で乗算した値に置換されている。また、Ａｄ営業所の売上データは、分割前のＡｂ営業所の売上データ「５０００」に分割比率Ｒ２で乗算した値に置換されている。
【００４１】
ステップＳ１３に進み、演算処理装置２６は新規に生成する営業所のレコードを仮想組織ＤＢ１５に生成する。演算処理装置２６は、生成したレコードの営業所名（又は営業所コード）を分割後の営業所名（又は営業所コード）で置換する。
【００４２】
図１１は、ステップＳ１３の処理により分割指示の対象とされた営業所が分割された仮想組織ＤＢ１５の一例の構成図である。図１１の仮想組織ＤＢ１５では、Ａｄ営業所のレコードが追加されている。
【００４３】
ステップＳ１３に続いてステップＳ１７に進み、演算処理装置２６は仮想組織ＤＢ１５の情報に基づいて図１２の組織ツリーを表示装置に表示する。ステップＳ１８に進み、演算処理装置２６は仮想売上ＤＢ１３の情報に基づいて図１２の支店別売上ランキング及び営業所別売上ランキングを表示装置に表示したあと、ステップＳ３に戻る。
【００４４】
図１２は、支店又は営業所の分割指示に基づく変換後の組織ツリー及びランキングを表示する画面１２０の一例のイメージ図である。図１２の画面１２０は、組織変更後組織ツリーと、その組織変更後組織ツリーを構成する支店および営業所の組織変更後支店別売上ランキングおよび組織変更後営業所別売上ランキングとが含まれている。
【００４５】
図１２の画面１２０は、Ａｄ営業所が組織変更後組織ツリーに追加されている。図１２の画面１２０はＡｄ営業所が組織変更後営業所別売上ランキングに追加され、Ａｂ営業所の売上がＡｂ営業所とＡｄ営業所とに分割されている。なお、図１２の画面１２０では分割比率Ｒ１「０．５」、分割比率Ｒ２「０．５」の例を表している。
【００４６】
次に、入力されたコマンドが支店又は営業所の昇格指示である場合、演算処理装置２６はステップＳ１４に進み、仮想売上ＤＢ１３中、チェック欄６２により指定された昇格指示の対象とする支店又は営業所のレコードを抽出する。ステップＳ１５に進み、演算処理装置２６はステップＳ１４で抽出されたレコードを昇格後のレコードに変換する。
【００４７】
図１３は、ステップＳ１５の処理により昇格指示の対象とされた営業所のレコードが昇格後の支店のレコードに変換された仮想売上ＤＢ１３の一例の構成図である。図１３の仮想売上ＤＢ１３では、Ａｂ営業所のレコードがＤ支店のレコードに変換されている。
【００４８】
ステップＳ１６に進み、演算処理装置２６は仮想組織ＤＢ１５中、昇格指示の対象とする支店又は営業所のレコードを削除し、新規に生成される支店名（又は支店コード）のレコードを生成する。
【００４９】
図１４は、ステップＳ１６の処理により昇格指示の対象とされたＡｂ営業所のレコードが削除され、昇格後のＤ支店のレコードが追加された仮想組織ＤＢ１５の一例の構成図である。
【００５０】
ステップＳ１６に続いてステップＳ１７に進み、演算処理装置２６は仮想組織ＤＢ１５の情報に基づいて図１５の組織ツリーを表示装置に表示する。ステップＳ１８に進み、演算処理装置２６は仮想売上ＤＢ１３の情報に基づいて図１５の支店別売上ランキング及び営業所別売上ランキングを表示装置に表示したあと、ステップＳ３に戻る。
【００５１】
図１５は、支店又は営業所の昇格指示に基づく変換後の組織ツリー及びランキングを表示する画面１５０の一例のイメージ図である。図１５の画面１５０は、組織変更後組織ツリーと、その組織変更後組織ツリーを構成する支店および営業所の組織変更後支店別売上ランキングおよび組織変更後営業所別売上ランキングとが含まれている。図１５の画面１５０は、組織変更後組織ツリーにおいて、昇格指示の対象とされたＡｂ営業所がＤ支店に変更されている。また、図１５の画面１５０は昇格指示の対象とされたＡｂ営業所が組織変更後営業所別売上ランキングから削除され、昇格後のＤ支店が組織変更後支店別売上ランキングに追加されている。
【００５２】
なお、図９，図１２及び図１５の画面９０，１２０及び１５０では、統合，分割及び昇格指示の対象とされた支店又は営業所を、色，アンダーライン等で視覚的に変化させて組織変換後組織ツリー，組織変換後支店別売上ランキング及び組織変換後営業所別売上ランキングを表示する。
【００５３】
したがって、組織編成支援装置１１を操作する操作者は、組織ツリーを構成する支店および営業所毎に設けられている画面６０のチェック欄６２をチェックして、統合，分割又は昇格指示の対象とする支店または営業所を容易に指定でき、コマンド欄６１から支店又は営業所の統合，分割又は昇格指示に対応するコマンドを選択して、再編成後の組織変更後組織ツリー，組織変更後支店別売上ランキング及び組織変更後営業所別売上ランキングを画面上で視覚的に理解できる。
【００５４】
本発明は、以下に記載する付記のような構成が考えられる。
（付記１）
少なくとも記憶装置，中央処理装置を備えたコンピュータにおいて実行される組織編成支援プログラムであって、
前記記憶装置は、組織を構成する要素の結合関係が表された組織テーブルと，前記要素毎に集計された実績データが表された実績データテーブルとを記憶しており、
前記中央処理装置は、前記組織テーブルから前記要素の結合関係を抽出して前記要素の結合関係を表示装置に表示し、前記実績データテーブルから前記要素毎の実績データを抽出して前記要素毎の実績データを前記表示装置に表示するステップと、
受け付けた組織編成指示に基づき、前記組織テーブルから抽出した組織編成前の前記要素の結合関係を組織編成後の前記要素の結合関係に変換して前記表示装置に表示し、前記実績データテーブルから抽出した組織編成前の前記要素毎の実績データを組織編成後の前記要素毎の実績データに変換して前記表示装置に表示するステップと
を実行する組織編成支援プログラム。
（付記２）
前記中央処理装置は、前記要素の結合関係を前記表示装置にツリー表示し、前記要素毎の実績データをランキング表示することを特徴とする付記１記載の組織編成支援プログラム。
（付記３）
前記中央処理装置は、前記組織編成指示の対象となった前記要素を視覚的に変化させて前記要素の結合関係及び前記要素毎の実績データを前記表示装置に表示させることを特徴とする付記１又は２記載の組織編成支援プログラム。
（付記４）
前記組織を構成する要素は支店又は営業所であって、
前記中央処理装置は前記組織編成指示として、前記支店又は営業所の統合，分割又は昇格指示を受け付けることを特徴とする付記１乃至３何れか一項記載の組織編成支援プログラム。
（付記５）
前記中央処理装置は、前記実績データテーブルから前記要素毎の実績データとして売上データを抽出することを特徴とする付記１乃至４何れか一項記載の組織編成支援プログラム。
（付記６）
組織編成を支援する組織編成支援装置であって、
組織を構成する要素の結合関係が表された組織テーブルと，前記要素毎に集計された実績データが表された実績データテーブルとを記憶する記憶手段と、
前記組織テーブルから前記要素の結合関係を抽出して前記要素の結合関係を表示装置に表示し、前記実績データテーブルから前記要素毎の実績データを抽出して前記要素毎の実績データを前記表示装置に表示する一方、
受け付けた組織編成指示に基づき、前記組織テーブルから抽出した組織編成前の前記要素の結合関係を組織編成後の前記要素の結合関係に変換して前記表示装置に表示し、前記実績データテーブルから抽出した組織編成前の前記要素毎の実績データを組織編成後の前記要素毎の実績データに変換して前記表示装置に表示する表示制御手段と
を有する組織編成支援装置。
（付記７）
少なくとも記憶装置，中央処理装置を備えたコンピュータを用いて組織編成を支援する組織編成支援方法であって、
前記記憶装置は、組織を構成する要素の結合関係が表された組織テーブルと，前記要素毎に集計された実績データが表された実績データテーブルとを記憶しており、
前記中央処理装置が、前記組織テーブルから前記要素の結合関係を抽出して前記要素の結合関係を表示装置に表示し、前記実績データテーブルから前記要素毎の実績データを抽出して前記要素毎の実績データを前記表示装置に表示するステップと、
受け付けた組織編成指示に基づき、前記組織テーブルから抽出した組織編成前の前記要素の結合関係を組織編成後の前記要素の結合関係に変換して前記表示装置に表示し、前記実績データテーブルから抽出した組織編成前の前記要素毎の実績データを組織編成後の前記要素毎の実績データに変換して前記表示装置に表示するステップと
を有する組織編成支援方法。
【００５５】
本発明は、具体的に開示された実施例に限定されるものではなく、特許請求の範囲から逸脱することなく、種々の変形や変更が可能である。
【図面の簡単な説明】
【００５６】
【図１】本発明による組織編成支援システムの一例の構成図である。
【図２】組織編成支援装置１１の一例の構成図である。
【図３】組織編成支援装置１１の処理手順を表した一例のフローチャートである。
【図４】売上ＤＢ１２の一例の構成図である。
【図５】組織ＤＢ１４の一例の構成図である。
【図６】支店又は営業所の統合，分割又は昇格指示に基づく変換前の組織ツリー及びランキングを表示する画面６０の一例のイメージ図である。
【図７】ステップＳ６の処理により統合指示の対象とされた営業所の営業所名が統合後の一つの営業所名に置換された仮想売上ＤＢ１３の一例の構成図である。
【図８】ステップＳ７の処理により統合指示の対象とされた営業所のレコードが、一つを残して削除された仮想組織ＤＢ１５の一例の構成図である。
【図９】支店又は営業所の統合指示に基づく変換後の組織ツリー及びランキングを表示する画面９０の一例のイメージ図である。
【図１０】ステップＳ９〜Ｓ１２の処理により分割指示の対象とされた営業所が分割された仮想売上ＤＢ１３の一例の構成図である。
【図１１】ステップＳ１３の処理により分割指示の対象とされた営業所が分割された仮想組織ＤＢ１５の一例の構成図である。
【図１２】支店又は営業所の分割指示に基づく変換後の組織ツリー及びランキングを表示する画面１２０の一例のイメージ図である。
【図１３】ステップＳ１５の処理により昇格指示の対象とされた営業所のレコードが統合後の支店のレコードに変換された仮想売上ＤＢ１３の一例の構成図である。
【図１４】ステップＳ１６の処理により昇格指示の対象とされたＡｂ営業所のレコードが削除され、昇格後のＤ支店のレコードが追加された仮想組織ＤＢ１５の一例の構成図である。
【図１５】支店又は営業所の昇格指示に基づく変換後の組織ツリー及びランキングを表示する画面１５０の一例のイメージ図である。
【符号の説明】
【００５７】
１１    組織編成支援装置
１２    売上ＤＢ
１３    仮想売上ＤＢ
１４    組織ＤＢ
１５    仮想組織ＤＢ
２１    入力装置
２２    出力装置
２３    ドライブ装置
２４    補助記憶装置
２５    メモリ装置
２６    演算処理装置
２７    インターフェース装置
２８    記録媒体
６０，９０，１２０，１５０    画面
【図１】
0004397359.tif 000002
【図２】
0004397359.tif 000003
【図３】
0004397359.tif 000004
【図４】
0004397359.tif 000005
【図５】
0004397359.tif 000006
【図６】
0004397359.tif 000007
【図７】
0004397359.tif 000008
【図８】
0004397359.tif 000009
【図９】
0004397359.tif 000010
【図１０】
0004397359.tif 000011
【図１１】
0004397359.tif 000012
【図１２】
0004397359.tif 000013
【図１３】
0004397359.tif 000014
【図１４】
0004397359.tif 000015
【図１５】
0004397359.tif 000016